(57)【要約】【課題】省スペースで、吸熱用の熱交換器を通過する空気量を十分確保することができるヒートポンプ式給湯機を提供する。【解決手段】ヒートポンプ式給湯機１では、ケーシング１０が、排気用の吹出口１３ａが形成されている第１側面１３と、第１側面１３と所定距離を隔てて向かい合う仕切面１７と、第１側面１３と隣接する正面１１及び背面１２とを有している。正面１１には、吸気用の吸込口１１ａが形成されている。プロペラファン２９および空気熱交換器２４は、ケーシング１０内に、吹出口１３ａ、プロペラファン２９、空気熱交換器２４、仕切面１７という順で並んで収納されており、空気熱交換器２４と仕切面１７との間には、吸込口１１ａから吸い込まれる空気を空気熱交換器２４に導くための外気取り入れ空間１０ａが設けられている。【選択図】図１
2009216261.tif 000002
【特許請求の範囲】
【請求項１】
蒸気圧縮式冷凍回路を収納するケーシング（１０，１１０）と、
前記蒸気圧縮式冷凍回路の低圧側に接続されている空気熱交換器（２４）と、
前記空気熱交換器（２４）に送風するプロペラファン（２９）と、
を備え、
前記ケーシング（１０，１１０）は、
排気用の吹き出し開口（１３ａ，１１３ａ）が形成されている開口側面（１３，１１３）と、
前記開口側面（１３，１１３）と所定距離を隔てて向かい合う対向面（１７，１１７）と、
前記開口側面（１３，１１３）と隣接する正面（１１，１１１）及び背面（１２，１１２）と、
を有し、
前記正面（１１，１１１）及び前記背面（１２，１１２）の少なくとも一方に、吸気用の吸い込み開口（１１ａ，１２ａ，１１１ａ，１１２ａ）が形成されており、
前記プロペラファン（２９）および前記空気熱交換器（２４）は、前記ケーシング（１０，１１０）内に、前記吹き出し開口（１３ａ，１１３ａ）、前記プロペラファン（２９）、前記空気熱交換器（２４）、前記対向面（１７，１１７）という順で並んで収納され、
前記空気熱交換器（２４）と前記対向面（１７，１１７）との間には、前記吸い込み開口（１１ａ，１１１ａ）から吸い込まれる空気を前記空気熱交換器（２４）に導くための外気取り入れ空間（１０ａ，１１０ａ）が設けられている、
ヒートポンプ式給湯機（１，１０１）。
【請求項２】
前記蒸気圧縮式冷凍回路の高圧側に接続されている水熱交換器（２２）と、
前記水熱交換器（２２）で加熱された水を貯えるタンク（３１）と、
をさらに備え、
前記タンク（３１）は、前記対向面（１７，１１７）を挟んで前記空気熱交換器（２４）の反対側となる位置に配置される、
請求項１に記載のヒートポンプ式給湯機（１，１０１）。
【請求項３】
前記タンク（３１）は、前記ケーシング（１０）に収納されており、
前記ケーシング（１０）は、前記タンク（３１）を挟んで前記開口側面（１３）の反対側となる位置に、作業用の開口（１４ａ）が形成された作業用側面（１４）をさらに有している、
請求項２に記載のヒートポンプ式給湯機（１）。
【請求項４】
前記蒸気圧縮式冷凍回路の高圧側に接続されている水熱交換器（２２）と、
前記水熱交換器（２２）で加熱された水を貯えるタンク（３１）と、
前記タンク（３１）を収納する第２ケーシング（２１０）と、
をさらに備え、
前記第２ケーシング（２１０）は、
前記対向面（１１７）を挟んで前記空気熱交換器（２４）の反対側となる位置に配置され、
前記タンク（３１）を挟んで前記対向面（１１７）の反対側となる位置に、作業用の開口（２１４ａ）が形成された第２作業用側面（２１４）を有している、
請求項１に記載のヒートポンプ式給湯機（１０１）。
【請求項５】
前記ケーシング（１１０）の前記開口側面（１１３）側から見た幅寸法と、前記第２ケーシング（２１０）の前記第２作業用側面（２１４）側から見た幅寸法とが略同一である、
請求項４に記載のヒートポンプ式給湯機（１０１）。
【請求項６】
前記ケーシング（１１０）及び前記第２ケーシング（２１０）それぞれの高さ寸法が略同一である、
請求項４又は請求項５に記載のヒートポンプ式給湯機（１０１）。
【請求項７】
前記吸い込み開口（１１ａ，１１１ａ）に沿う第２空気熱交換器（１２４）をさらに備えた、
請求項１から請求項６のいずれか１項に記載のヒートポンプ式給湯機（１，１０１）。
【請求項８】
前記吸い込み開口（１１ａ，１２ａ，１１１ａ，１１２ａ）は、前記正面（１１，１１１）及び前記背面（１２，１１２）の両方に形成されており、
前記正面（１１，１１１）の前記吸い込み開口（１１ａ，１１１ａ）に沿う第２空気熱交換器（１２４）と、
前記背面（１２，１１２）の前記吸い込み開口（１２ａ，１１２ａ）に沿う第３空気熱交換器（２２４）と、
をさらに備えた、
請求項１から請求項６のいずれか１項に記載のヒートポンプ式給湯機（１，１０１）。
【請求項９】
前記ケーシング（１１０）と前記第２ケーシング（２１０）とを連結する連結部材（１０６，１０７，２０７）をさらに備えた、
請求項４に記載のヒートポンプ式給湯機（１０１）。
【請求項１０】
前記連結部材（１０６）は、
前記ケーシング（１１０）の天面と前記第２ケーシング（２１０）の天面とに締結される水平部と、
前記水平部とほぼ直交しボルトが通る穴が形成されている垂直部と、
を有する、
請求項９に記載のヒートポンプ式給湯機（１０１）。
【発明の詳細な説明】
【技術分野】
【０００１】
本発明は、加熱手段としてヒートポンプを用いて湯を沸かすヒートポンプ式給湯機に関する。
【背景技術】
【０００２】
給湯機の加熱手段として使用される蒸気圧縮式冷凍装置は、外気から熱エネルギーを汲み上げることから、ヒートポンプユニットと呼ばれており、一般に室外に設置されている。ヒートポンプユニットは、外気から有効に熱エネルギーを汲み上げるために、外気の吸入および排出を阻害することがないように配慮されている（特許文献１参照）。
【０００３】
特許文献１によると、ヒートポンプユニットの４側面のうち隣り合う２面では、面積の小さい側面に外気の吸入部が、面積の大きい側面に排出部が形成されている。そして、吸熱用の熱交換器が、吸入部に対向するように配置されている。外気は、遠心ファンによって、吸入部から吸熱用の熱交換器を通って排出部へ向う、つまり略直角状に流れる。
【０００４】
この構成により、４側面のうち、残りの隣り合う２面は、外気の吸入および排出に関係ない側面となるので、その２面を住宅の壁に近づけて設置することによって、デッドスペースを無くすことができる。
【０００５】
しかしながら、上記の様なヒートポンプユニットでは、吸熱用の熱交換器を通過する空気量を多く確保するために、静圧の高い遠心ファンを使用する必要があり、例えば、構成を簡素化するためにプロペラファンを採用した場合、静圧が不足し空気量を確保するのが困難になる。
【特許文献１】特開２００６−１７７５６６号公報
【発明の開示】
【発明が解決しようとする課題】
【０００６】
本発明の課題は、省スペースで、吸熱用の熱交換器を通過する空気量を十分確保することができるヒートポンプ式給湯機を提供することにある。
【課題を解決するための手段】
【０００７】
第１発明に係るヒートポンプ式給湯機は、ケーシングと、空気熱交換器と、プロペラファンとを備えている。ケーシングは、蒸気圧縮式冷凍回路を収納する。空気熱交換器は、蒸気圧縮式冷凍回路の低圧側に接続されている。プロペラファンは、空気熱交換器に送風する。そして、ケーシングは、排気用の吹き出し開口が形成されている開口側面と、開口側面と所定距離を隔てて向かい合う対向面と、開口側面と隣接する正面及び背面とを有している。正面及び背面の少なくとも一方に、吸気用の吸い込み開口が形成されている。プロペラファンおよび空気熱交換器は、ケーシング内に、吹き出し開口、プロペラファン、空気熱交換器、対向面という順で並んで収納されている。空気熱交換器と対向面との間には、吸い込み開口から吸い込まれる空気を空気熱交換器に導くための外気取り入れ空間が設けられている。
【０００８】
このヒートポンプ式給湯機では、設置空間の幅寸法が、「ケーシングの側面の幅寸法より大きく、ケーシングの側面に隣接する面の幅寸法よりも小さい」、というような狭い空間であっても、プロペラファンの上流には空気取り入れ空間が確保され、吹き出し開口の前面には空気の吹き出しを妨げない空間が確保されるので、静圧不足が解消される。
【０００９】
第２発明に係るヒートポンプ式給湯機は、第１発明に係るヒートポンプ式給湯機であって、水熱交換器とタンクとをさらに備えている。水熱交換器は、蒸気圧縮式冷凍回路の高圧側に接続されている。タンクは、対向面を挟んで空気熱交換器の反対側となる位置に配置されており、水熱交換器で加熱された水を貯える。
【００１０】
このヒートポンプ式給湯機では、吹き出し開口、プロペラファン、空気熱交換器、対向面、タンクという順で並ぶので、ケーシングの側面から視た、ヒートポンプ式給湯機の設置空間の全体の幅寸法を小さく設定することができる。
【００１１】
第３発明に係るヒートポンプ式給湯機は、第２発明に係るヒートポンプ式給湯機であって、タンクは、ケーシングに収納されている。ケーシングは、タンクを挟んで開口側面の反対側となる位置に、作業用の開口が形成された作業用側面をさらに有している。
【００１２】
このヒートポンプ式給湯機では、設置空間の幅寸法が、「ケーシングの側面の幅寸法より大きく、ケーシングの側面に隣接する面の幅寸法よりも小さい」、というような狭い空間であっても、作業者が進入できる空間が確保されるので、狭い空間であっても作業性の低下が防止される。
【００１３】
第４発明に係るヒートポンプ式給湯機は、第１発明に係るヒートポンプ式給湯機であって、水熱交換器と、タンクと、第２ケーシングとをさらに備えている。水熱交換器は、蒸気圧縮式冷凍回路の高圧側に接続されている。タンクは、水熱交換器で加熱された水を貯える。第２ケーシングは、タンクを収納する。そして、第２ケーシングは、対向面を挟んで空気熱交換器の反対側となる位置に配置され、タンクを挟んで対向面の反対側となる位置に、作業用の開口が形成された第２作業用側面を有している。
【００１４】
このヒートポンプ式給湯機では、設置空間の幅寸法が、「ケーシングの側面の幅寸法より大きく、ケーシングの側面に隣接する面の幅寸法よりも小さい」、というような狭い空間であっても、作業者が進入できる空間が確保されるので、狭い空間であっても作業性の低下が防止される。
【００１５】
第５発明に係るヒートポンプ式給湯機は、第４発明に係るヒートポンプ式給湯機であって、ケーシングの開口側面側から見た幅寸法と、第２ケーシングの第２作業用側面側から見た幅寸法とが略同一である。
【００１６】
このヒートポンプ式給湯機では、設置場所への搬入時は、個別に移動させることができるので作業性がよく、設置時は、ケーシングと第２ケーシングとを隣接するように並べることができるので、ヒートポンプ式給湯機の設置面積を小さく抑えることができる。
【００１７】
第６発明に係るヒートポンプ式給湯機は、第４発明又は第５発明に係るヒートポンプ式給湯機であって、ケーシング及び第２ケーシングそれぞれの高さ寸法が略同一である。
【００１８】
このヒートポンプ式給湯機では、設置場所への搬入時は、個別に移動させることができるので作業性がよく、設置時は、ケーシングと第２ケーシングとを隣接するように並べることができるので、ヒートポンプ式給湯機の設置空間を小さく抑えることができる。また、外観上、一体型のケーシングに見えるので、ヒートポンプ式給湯機としての意匠性がよい。
【００１９】
第７発明に係るヒートポンプ式給湯機は、第１発明から第６発明のいずれか１つに係るヒートポンプ式給湯機であって、吸い込み開口に沿う第２空気熱交換器をさらに備えている。
【００２０】
このヒートポンプ式給湯機では、熱交換量が増加し、より加熱性能が向上する。
【００２１】
第８発明に係るヒートポンプ式給湯機は、第１発明から第６発明のいずれか１つに係るヒートポンプ式給湯機であって、吸い込み開口が、正面及び背面の両方に形成されており、正面の吸い込み開口に沿う第２空気熱交換器と、背面の吸い込み開口に沿う第３空気熱交換器とをさらに備えている。
【００２２】
このヒートポンプ式給湯機では、熱交換量が増加し、さらに加熱性能が向上する。
【００２３】
第９発明に係るヒートポンプ式給湯機は、第４発明に係るヒートポンプ式給湯機であって、ケーシングと第２ケーシングとを連結する連結部材をさらに備えている。
【００２４】
このヒートポンプ式給湯機では、連結部材がケーシングと第２ケーシングとを固定するので、据付時に設定されたケーシングと第２ケーシングとの隙間が、使用時に拡大することが防止される。
【００２５】
第１０発明に係るヒートポンプ式給湯機は、第９発明に係るヒートポンプ式給湯機であって、連結部材が、ケーシングの天面と第２ケーシングの天面とに締結される水平部と、水平部とほぼ直交しボルトが通る穴が形成されている垂直部とを有している。
【００２６】
このヒートポンプ式給湯機では、垂直部に設けられた穴を使用して家屋外壁にボルトで固定する事で転倒防止金具として利用することができる。
【発明の効果】
【００２７】
第１発明に係るヒートポンプ式給湯機では、狭い空間であっても、プロペラファンの上流には空気取り入れ空間が確保され、吹き出し開口の前面には空気の吹き出しを妨げない空間が確保されるので、静圧不足が解消される。
【００２８】
第２発明に係るヒートポンプ式給湯機では、吹き出し開口、プロペラファン、空気熱交換器、対向面、タンクという順で並ぶので、ケーシングの側面から視た、給湯機設置空間の全体の幅寸法を小さく設定することができる。
【００２９】
第３発明に係るヒートポンプ式給湯機では、狭い空間であっても、作業者が進入できる空間が確保されるので、作業性の低下が防止される。
【００３０】
第４発明に係るヒートポンプ式給湯機では、狭い空間であっても、作業者が進入できる空間が確保されるので、作業性の低下が防止される。
【００３１】
第５発明に係るヒートポンプ式給湯機では、設置場所への搬入時は、個別に移動させることができるので作業性がよく、設置時は、ケーシングと第２ケーシングとを隣接するように並べることができるので、ヒートポンプ式給湯機の設置面積を小さく抑えることができる。
【００３２】
第６発明に係るヒートポンプ式給湯機では、設置場所への搬入時は、個別に移動させることができるので作業性がよく、設置時は、ケーシングと第２ケーシングとを隣接するように並べることができるので、ヒートポンプ式給湯機の設置空間を小さく抑えることができる。また、外観上、一体型のケーシングに見えるので、ヒートポンプ式給湯機としての意匠性がよい。
【００３３】
第７発明に係るヒートポンプ式給湯機では、熱交換量が増加し、より加熱性能が向上する。
【００３４】
第８発明に係るヒートポンプ式給湯機では、熱交換量が増加し、さらに加熱性能が向上する。
【００３５】
第９発明に係るヒートポンプ式給湯機では、連結部材がケーシングと第２ケーシングとを固定するので、据付時に設定されたケーシングと第２ケーシングとの隙間が、使用時に拡大することが防止される。
【００３６】
第１０発明に係るヒートポンプ式給湯機では、垂直部に設けられた穴を使用して家屋外壁にボルトで固定する事で転倒防止金具として利用することができる。
【発明を実施するための最良の形態】
【００３７】
以下図面を参照しながら、本発明の実施形態について説明する。なお、以下の実施形態は、本発明の具体例であって、本発明の技術的範囲を限定するものではない。
【００３８】
〔第１実施形態〕
＜ヒートポンプ式給湯機の構成＞
図１は第１実施形態に係るヒートポンプ式給湯機の縦断面図であり、図２は同ヒートポンプ式給湯機の概略構成図である。図１おいて、ヒートポンプ式給湯機１は、ヒートポンプユニット（加熱手段）２とタンクユニット３とによって構成され、共に１つのケーシング１０内に収納されている。
【００３９】
図２において、ヒートポンプユニット２は、マフラー２１ａ、圧縮機２１、水熱交換器２２内の冷媒管２２ａ、減圧手段としての膨張弁２３、及び空気熱交換器２４が、冷媒配管２５によって環状に接続された蒸気圧縮式の冷凍回路２０を有する。
【００４０】
また、冷凍回路２０には、水熱交換器２２から出る高圧高温の冷媒と、空気熱交換器２４から出る低圧低温の冷媒との間で熱交換を行うため、液ガス熱交換器２６が配置されている。具体的には、水熱交換器２２と膨張弁２３とを連結する冷媒通路と、空気熱交換器２４と圧縮機２１とを連結する冷媒通路との間で熱交換が行われる。
【００４１】
タンクユニット３は、タンク３１、水熱交換器２２内の水管２２ｂ及び水循環ポンプ３２が、水循環配管３５によって環状に接続された水循環回路３０を有する。制御装置４は、ヒートポンプユニット２とタンクユニット３を運転制御する。
【００４２】
（タンクユニット）
図３は、第１実施形態に係るヒートポンプ式給湯機のタンクユニットと負荷とを連絡する配管の回路図である。なお、ここで述べる負荷とは、給湯と風呂を指す。給湯管７１は、タンク３１の頭部と給湯混合弁７３とを連絡する。給湯管７１は第１給湯分岐管７１ａと第２給湯分岐管７１ｂとを有しており、第１給湯分岐管７１ａは、給湯管７１とお湯はり混合弁７４とを連絡し、第２給湯分岐管７１ｂは、給湯管７１と逃し弁７５を連絡している。
【００４３】
給水管７２は、水供給源と給湯混合弁７３を連絡する。給水管７２は、第１給水分岐管７２ａと第２給水分岐管７２ｂとを有しており、第１給水分岐管７２ａは、給水管７２とお湯はり混合弁７４とを連絡し、第２給水分岐管７２ｂは、給水管７２とタンク３１の底部とを連絡している。なお、第１給水分岐管７２ａと第２給水分岐管７２ｂとの上流には減圧逆止弁７６が接続されている。また、第２給水分岐管７２ｂのタンク３１から離れた位置には、水温センサ４１が設けられており、水温センサ４１が、タンク３１から温度影響を受けないように配慮されている。
【００４４】
湯循環配管７７は、タンク３１の頭部とタンク３１の底部を連絡しており、途中には追焚熱交換器７８と循環ポンプ７９が接続されている。
【００４５】
第２給湯管８１は、給湯混合弁７３と給湯口８２とを連絡し、途中に給湯水量センサ４２ａが配置されている。第３給湯管８３は、お湯はり混合弁７４と風呂水循環配管９１とを連絡しており、途中に複合水弁８４が配置されている。複合水弁８４は、お湯はり電磁弁８４ａと、排水弁８４ｂと、お湯はり水量センサ４２ｂとで構成されている。
【００４６】
風呂水循環配管９１は、浴槽９２から出て浴槽９２に戻り、途中に風呂水循環ポンプ９３が接続されている。なお、追焚熱交換器７８において、風呂水循環配管９１と湯循環配管７７との間で熱交換が行われる。
【００４７】
タンク３１の側壁には、頭部から底部へ向かい一定間隔をおいて残湯量検知手段としての温度センサ４４ａ〜４４ｅが設けられている。タンク３１の各高さ位置の湯温を温度センサ４４ａ〜４４ｅで検知することによって湯の温度と残湯量が算出される。なお、タンク３１は、側壁全周、頭部および底部を断熱材で覆われている。
【００４８】
（ヒートポンプ式給湯機の内部構造）
図４（ａ）は、第１実施形態に係るヒートポンプ式給湯機であって、Ｌ字形の空気熱交換器を用いたものの平面図であり、図４（ｂ）は、第１実施形態に係るヒートポンプ式給湯機の平面図であって、Ｕ字形の空気熱交換器を用いたものの平面図である。
【００４９】
図４（ａ）において、ヒートポンプユニット２及びタンクユニット３は、ケーシング１０に収納されている。ケーシング１０の正面１１には、空気の吸込口１１ａが設けられており、この吸込口１１ａは、ヒートポンプユニット２側に位置する。正面１１には、正面１１よりも幅の狭い第１側面１３と第２側面１４とが隣接しおり、第１側面１３と第２側面１４とは対向している。第１側面１３には空気の吹出口１３ａが設けられ、第２側面１４には、作業用開口１４ａが設けられている。
【００５０】
また、ケーシング１０内において、ヒートポンプユニット２とタンクユニット３とは、仕切面１７によって仕切られている。仕切面１７には開口がなく、ヒートポンプユニット２側の空間とタンクユニット３側の空間との間で、空気の移動が発生しないようになっている。
【００５１】
ヒートポンプユニット２側の空間では、空気熱交換器２４及びプロペラファン２９が、吹出口１３ａ、プロペラファン２９、空気熱交換器２４、仕切面１７という順で並ぶように配置されている。そして、空気熱交換器２４と仕切面１７との間には、吸込口１１ａから吸込まれる空気を空気熱交換器２４に導くための外気取り入れ空間１０ａが設けられている。
【００５２】
空気熱交換器２４の一端には、第２空気熱交換器１２４が接続されており、この第２空気熱交換器１２４は吸込口１１ａに沿うように配置されているので、空気熱交換器２４と第２空気熱交換器１２４とによって１つのＬ字形空気熱交換器が形成されている。なお、図４（ａ）では、空気熱交換器２４の一端に第２空気熱交換器１２４を接続しているが、代替として、１つの空気熱交換器をＬ字形に成形したものを配置することも可能である。
【００５３】
図４（ｂ）に示すヒートポンプ式給湯機は、図４（ａ）に示すヒートポンプ式給湯機と、基本構成は同じであるが、背面１２に第２吸込口１２ａが設けられ、この第２吸込口１２ａに沿うように第３空気熱交換器２２４が配置されている。この第３空気熱交換器２２４は、空気熱交換器２４の第２空気熱交換器１２４が接続されている端部とは反対側の端部に接続されている。その結果、空気熱交換器２４と第２空気熱交換器１２４と第３空気熱交換器２２４とによって１つのＵ字形空気熱交換器が形成されている。なお、図４（ｂ）では、空気熱交換器２４の両端に第２空気熱交換器１２４、第３空気熱交換器２２４を接続しているが、代替として、１つの空気熱交換器をＵ字形に成形したものを配置することも可能である。
【００５４】
図４（ａ）、図４（ｂ）において、第２側面１４に設けられた作業用開口１４ａは、主に、作業者が据付施工時に行う、給水配管、給湯配管及び風呂配管等の機器への配管接続作業、電源線及びリモコン線等の配線接続作業の際に使用される。さらに、作業用開口１４ａは、作業者がタンク３１の周辺にある配管、弁及びセンサ等のメンテナンスをするときにも使用される。また、タンク３１は、直径が第１側面１３の幅寸法より小さく、その結果、第２側面１４及び仕切面１７の幅寸法を第１側面１３の幅寸法と略同一にすることができるので、ケーシング１０は直方体形状となる。
【００５５】
ヒートポンプ式給湯機１は、設置空間の幅寸法が第１側面１３の幅寸法より大きく正面１１の幅寸法よりも小さいような狭い空間であっても、プロペラファン２９の上流には外気取り入れ空間１０ａが確保され、吹出口１３ａの前面には空気の吹き出しを妨げない空間が確保されているので、静圧不足が解消される。
【００５６】
また、作業用開口１４ａが第２側面１４に設けられているので、ヒートポンプ式給湯機１の設置空間の幅寸法が、第２側面１４の幅寸法より大きく、正面１１の幅寸法よりも小さいような狭い空間であっても、作業者が進入できる空間が確保されるので、作業性の低下が防止される。
【００５７】
＜第１実施形態の特徴＞
（１）
ヒートポンプ式給湯機１では、ケーシング１０が、排気用の吹出口１３ａが形成されている第１側面１３と、第１側面１３と所定距離を隔てて向かい合う仕切面１７と、第１側面１３と隣接する正面１１及び背面１２とを有している。正面１１には、吸気用の吸込口１１ａが形成されている。プロペラファン２９および空気熱交換器２４は、ケーシング１０内に、吹出口１３ａ、プロペラファン２９、空気熱交換器２４、仕切面１７という順で並んで収納されており、空気熱交換器２４と仕切面１７との間には、吸込口１１ａから吸い込まれる空気を空気熱交換器２４に導くための外気取り入れ空間１０ａが設けられている。その結果、プロペラファン２９の上流には空気取り入れ空間１０ａが確保され、吹出口１３ａの前面には空気の吹き出しを妨げない空間が確保されるので、静圧不足が解消される。
【００５８】
また、タンク３１が、仕切面１７を挟んで空気熱交換器２４の反対側となる位置に配置され、吹出口１３ａ、プロペラファン２９、空気熱交換器２４、仕切面１７、タンク３１という順で並ぶので、ケーシング１０の側面から視た幅寸法を小さく設定することができる。
【００５９】
（２）
ヒートポンプ式給湯機１では、ケーシング１０が、タンク３１を挟んで第１側面１３の反対側となる位置に、作業用開口１４ａが形成された第２側面１４を有している。ヒートポンプ式給湯機１の設置場所には、少なくとも第２側面１４の幅寸法を持った空間が確保されているので、作業者が進入して作業することができる。
【００６０】
〔第２実施形態〕
＜ヒートポンプ式給湯機の構成＞
図５は、第２実施形態に係るヒートポンプ式給湯機の縦断面図である。図５において、ヒートポンプ式給湯機１０１は、ヒートポンプユニット（加熱手段）１０２とタンクユニット１０３とによって構成され、ヒートポンプユニット１０２はケーシング１１０内に収納され、タンクユニット３は第２ケーシング２１０に収納されている。なお、第１実施形態と同じ部材及び装置に対しては、同一符号を付与して説明を省略する。
【００６１】
（ヒートポンプ式給湯機の内部構造）
図６（ａ）は、第２実施形態に係るヒートポンプ式給湯機であって、Ｌ字形の空気熱交換器を用いたものの平面図であり、図６（ｂ）は、第２実施形態に係るヒートポンプ式給湯機の平面図であって、Ｕ字形の空気熱交換器を用いたものの平面図である。
【００６２】
図６（ａ）において、ケーシング１１０の正面１１１には、空気の吸込口１１１ａが設けられている。正面１１１には、第１側面１１３と第２側面１１７とが隣接しおり、第１側面１１３と第２側面１１７とは対向している。第１側面１１３には空気の吹出口１１３ａが設けられている。
【００６３】
ケーシング１１０内では、空気熱交換器２４及びプロペラファン２９が、吹出口１１３ａ、プロペラファン２９、空気熱交換器２４、第２側面１１７という順で並ぶように配置されている。そして、空気熱交換器２４と第２側面１１７との間には、吸込口１１１ａから吸込まれる空気を空気熱交換器２４に導くための外気取り入れ空間１１０ａが設けられている。
【００６４】
空気熱交換器２４の一端には、第２空気熱交換器１２４が接続されており、この第２空気熱交換器１２４は吸込口１１１ａに沿うように配置されているので、空気熱交換器２４と第２空気熱交換器１２４とによって１つのＬ字形空気熱交換器が形成されている。なお、図６（ａ）では、空気熱交換器２４の一端に第２空気熱交換器１２４を接続しているが、代替として、１つの空気熱交換器をＬ字形に成形したものを配置することも可能である。
【００６５】
図６（ｂ）に示すヒートポンプ式給湯機は、図６（ａ）に示すヒートポンプ式給湯機と、基本構成は同じであるが、背面１１２に第２吸込口１１２ａが設けられ、この第２吸込口１１２ａに沿うように第３空気熱交換器２２４が配置されている。この第３空気熱交換器２２４は、空気熱交換器２４の第２空気熱交換器１２４が接続されている端部とは反対側の端部に接続されている。その結果、空気熱交換器２４と第２空気熱交換器１２４と第３空気熱交換器２２４とによって１つのＵ字形空気熱交換器が形成されている。なお、図６（ｂ）では、空気熱交換器２４の両端に第２空気熱交換器１２４、第３空気熱交換器２２４を接続しているが、代替として、１つの空気熱交換器をＵ字形に成形したものを配置することも可能である。
【００６６】
図６（ａ）、図６（ｂ）において、第２ケーシング２１０の第１側面２１７がケーシング１１０の第２側面１１７にほぼ密着するように配置されている。第１側面２１７と反対側にある第２側面２１４には、作業用開口２１４ａが設けられている。第２側面２１４に設けられた作業用開口２１４ａは、主に、作業者がタンク３１の周辺にある配管、弁及びセンサをメンテナンスするときに使用される。
【００６７】
（外気取り入れ空間）
図７は、第２実施形態に係るヒートポンプ式給湯機のヒートポンプユニットを第２側面から視た斜視図である。図７において、ケーシング１１０の第２側面１１７には、開口１１７ａが設けられており、その縦寸法は、空気熱交換器２４の縦寸法に相当する。第２実施形態では、外気取り入れ空間１１０ａを形成するために、空気熱交換器２４と開口１１７ａとは所定寸法Ｄだけ離れている。開口１１７ａは第２ケーシング２１０の第１側面２１７で覆われるので、吸込口１１１ａから吸い込まれた空気は外気取り入れ空間１１０ａを経て空気熱交換器２４を通過する。
【００６８】
＜ヒートポンプ式給湯機の据付方法＞
ケーシング１１０及び第２ケーシング２１０が並べて据付けられるとき、一体感を持たせることによって意匠性が向上する。図８は、第２実施形態に係るヒートポンプ式給湯機の据付方法を示す斜視図である。図８において、ケーシング１１０と第２ケーシング２１０とは連結台３１８を介して、基礎台４１８に固定される。
【００６９】
具体的には、先ず、基礎台４１８に設けられた３つの位置決めボルト４１８ａを、連結台３１８に設けられた位置決め孔３１８ｂに挿入して、連結台３１８を基礎台４１８に位置決めする。位置決めボルト４１８ａの軸長さは、位置決め孔３１８ｂの軸長さよりも長いので、位置決め孔３１８ｂから上方へ突出する。次に、第２ケーシング２１０の３つの脚２１８と突出する位置決めボルト４１８ａとを合わせて、ナットで締結する。これによって、基礎台４１８、連結台３１８及び第２ケーシング２１０が固定される。次に、連結台３１８に設けられた４つのボルトとケーシング１１０の４つの脚１１８とを合わせて、ナットで締結する。
【００７０】
ケーシング１１０と第２ケーシング２１０とは、近接させて連結台３１８に載っているので、外観的には一体物に見えるようになる。特に、ケーシング１１０及び第２ケーシング２１０の高さ寸法、奥行き寸法（第２側面１１７と平行な側面の寸法）を等しくすることによって、さらに、一体感を持たせることができる。
【００７１】
図９は、図８のＸ部の拡大図である。図９において、ケーシング１１０の配管及びコードの引き出し部１１９からは、上接続配管１１９ａ，下接続配管１１９ｂ、及び差込形コネクタ付き１１９ｃが伸び出ており、それぞれ上接続口２１９ａ、下接続口２１９ｂ及び被差込形コネクタに接続される。
【００７２】
（変形例）
作業者は、ヒートポンプユニット１０２とタンクユニット１０３と並べて据付けるとき、ケーシング１１０と第２ケーシング２１０とが分離しないように、ケーシング１１０及び第２ケーシング２１０の天面側に分離防止用の部材を取り付けることがある。以下、図面を参照しながら説明する。
【００７３】
図１０は、第２実施形態に係るヒートポンプ式給湯機の斜視図であり、図１０において、連結板１０６が、ケーシング１１０の天面と第２ケーシング２１０の天面とを跨ぐように取り付けられている。連結板１０６は、断面がＬ字形の板金部材であり、水平部が、ケーシング１１０及び第２ケーシング２１０の天面にネジ締結される。したがって、ケーシング１１０の天面と第２ケーシング２１０の天面とが離れることはない。また、この連結板１０６は、垂直部に設けられた穴を使用して家屋外壁にボルトで固定する事で転倒防止金具としての機能も併せ持っている。
【００７４】
また、作業者は、ケーシング１１０と第２ケーシング２１０とが分離しないように、ケーシング１１０及び第２ケーシング２１０の下部に分離防止用の部材を取り付けることがある。
【００７５】
図７に示すように、第２側面１１７の下端には、板金部材１０７が固定されている。作業者は、ケーシング１１０の第２側面１１７と第２ケーシング２１０の第１側面２１７とを対向させて設置するときに、板金部材１０７を第２ケーシング２１０の第１側面２１７の下端に連結させている。その詳細は、図１１を用いて説明する。
【００７６】
図１１は、第２実施形態に係るヒートポンプ式給湯機のケーシング及び第２ケーシングの対向する側面の下方を示す斜視図であり、図１１において、板金部材１０７は、第２側面１１７の幅と同程度の幅寸法であり、第２側面１１７の下端に密着する固定部１０７ａと、第２側面１１７の下端からさらに下方へ突出する連結部１０７ｂとからなり、連結部１０７ｂの両端それぞれから一定距離を隔てた位置に連結孔１０７ｃが形成されている。連結孔１０７ｃは、下方に開いた切り欠き１０７ｄを有している。
【００７７】
また、第２ケーシング２１０の第１側面２１７の下端には、板金部材２０７が固定されている。板金部材２０７は、第１側面２１７の幅と同程度の幅寸法であり、第１側面２１７の下端に密着する固定部２０７ａと、第１側面２１７の下端からさらに下方へ突出する連結部２０７ｂとからなり、連結部２０７ｂの両端それぞれから一定距離を隔てた位置に溝付きで柱状の突起２０７ｃが形成されている。
【００７８】
作業者は、ケーシング１１０の第２側面１１７と第２ケーシング２１０の第１側面２１７とを対向させて設置するときに、突起２０７ｃが、切り欠き１０７ｄを介して連結孔１０７ｃに挿入され、連結孔１０７ｃのエッジが突起２０７ｃの溝に嵌まり込む。これによって、ケーシング１１０の第２側面１１７下部と第２ケーシング２１０の第１側面２１７下部とが連結される。
【００７９】
＜第２実施形態の特徴＞
（１）
ヒートポンプ式給湯機１０１では、タンク３１を収納する第２ケーシング２１０が、ケーシング１０の第２側面１１７を挟んで空気熱交換器２４の反対側となる位置に配置されている。第２ケーシング２１０は、タンク３１を挟んで第２側面１１７の反対側となる位置に、作業用開口２１４ａが形成された第２側面２１４を有している。ヒートポンプ式給湯機１０１の設置場所には、少なくとも第２側面２１４の幅寸法を持った空間が確保されているので、作業者が進入して作業することができる。
【００８０】
また、ケーシング１０の第１側面１３側から見た幅寸法と、第２ケーシング２１０の第２側面２１４から見た幅寸法とが略同一で、高さ寸法も略同一であるので、設置時に、ケーシング１０と第２ケーシング２１０とを隣接するように並べることによって、ヒートポンプ式給湯機１０１の設置面積を小さく抑えることができる。さらに、外観上、一体型のケーシングに見えるので、ヒートポンプ式の給湯機としての意匠性がよい。
【００８１】
（２）
ヒートポンプ式給湯機１０１では、万一、ヒートポンプユニット１０２の冷凍サイクル部が故障した場合、ヒートポンプユニット１０２だけの交換が可能である。その結果、タンクユニット１０３を含めた全てを交換する必要が無く、ヒートポンプユニット１０２だけを交換し持ち帰って修理することができるので、ヒートポンプユニット及びタンクユニットが１つのケーシングに収納されている一体型と比較してメンテナンス性に優れている。同様に、万一、タンクユニット１０３が故障した場合、タンクユニット１０３だけの交換が可能であり、タンクユニット１０３だけを交換し持ち帰って修理することができる。
【産業上の利用可能性】
【００８２】
以上のように、本発明によれば、性能を低下させることなく熱交換器及びファンをコンパクトなケーシングに収めることができるので、空気調和装置の室外機の分野にも有用である。
【図面の簡単な説明】
【００８３】
【図１】第１実施形態に係るヒートポンプ式給湯機の縦断面図。
【図２】第１実施形態に係るヒートポンプ式給湯機の概略構成図。
【図３】第１実施形態に係るヒートポンプ式給湯機のタンクユニットと負荷とを連絡する配管の回路図。
【図４】（ａ）第１実施形態に係るヒートポンプ式給湯機であって、Ｌ字形の空気熱交換器を用いたものの平面図。（ｂ）第１実施形態に係るヒートポンプ式給湯機の平面図であって、Ｕ字形の空気熱交換器を用いたものの平面図。
【図５】第２実施形態に係るヒートポンプ式給湯機の縦断面図。
【図６】（ａ）第２実施形態に係るヒートポンプ式給湯機であって、Ｌ字形の空気熱交換器を用いたものの平面図。（ｂ）第２実施形態に係るヒートポンプ式給湯機の平面図であって、Ｕ字形の空気熱交換器を用いたものの平面図。
【図７】第２実施形態に係るヒートポンプ式給湯機のヒートポンプユニットを第２側面から視た斜視図。
【図８】第２実施形態に係るヒートポンプ式給湯機の据付方法を示す斜視図。
【図９】図８のＸ部の拡大図。
【図１０】第２実施形態に係るヒートポンプ式給湯機の斜視図。
【図１１】第２実施形態に係るヒートポンプ式給湯機のケーシング及び第２ケーシングの対向する側面の下方を示す斜視図。
【符号の説明】
【００８４】
１，１０１  ヒートポンプ式給湯機
１０，１１０  ケーシング
１０ａ，１１０ａ  外気取り入れ空間
１１，１１１  正面
１１ａ，１１１ａ  吸込口
１２，１１２  背面
１２ａ，１１２ａ  吸込口
１３，１１３  第１側面（開口側面）
１３ａ，１１３ａ  吹出口
１４  作業用側面
１４ａ  作業用開口
１７  仕切面（対向面）
２２  水熱交換器
２４  空気熱交換器
２９  プロペラファン
３１  タンク
１０６  連結板（連結部材）
１０７  板金部材（連結部材）
１１７  第２側面（対向面）
１２４  第２空気熱交換器
２０７  板金部材（連結部材）
２１０  第２ケーシング
２１４  第２作業用側面
２１４ａ  作業用開口
２２４  第３空気熱交換器
【図１】
2009216261.tif 000003
【図２】
2009216261.tif 000004
【図３】
2009216261.tif 000005
【図４】
2009216261.tif 000006
【図５】
2009216261.tif 000007
【図６】
2009216261.tif 000008
【図７】
2009216261.tif 000009
【図８】
2009216261.tif 000010
【図９】
2009216261.tif 000011
【図１０】
2009216261.tif 000012
【図１１】
2009216261.tif 000013